【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
画像読取部で読み取った画像データを管理する画像処理装置であって、
前記画像読取部で読み取った画像データに対してＯＣＲ処理を施して、そのＯＣＲ処理結果に基づいて、前記画像データ中の第１日付情報を取得する第１取得手段と、
現在の第２日付情報を取得する第２取得手段と、
前記第１及び第２取得手段それぞれで取得した、前記第１日付情報と前記第２日付情報を比較する比較手段と、
前記比較手段による比較の結果、両者の差が一定期間内である場合には、前記画像データにタイムスタンプ情報を付加する付加手段と、
前記画像データを、指定された保存先へ保存する保存手段と、
を備えることを特徴とする画像処理装置。
【請求項２】
前記比較手段による比較の結果、両者の差が一定期間内でない場合には、タイムスタンプを付加するか否かをユーザに指示させるための確認画面を表示部に表示する表示手段を更に備える
ことを特徴とする請求項１に記載の画像処理装置。
【請求項３】
前記第１取得手段で日付情報を取得できなかった場合、前記表示手段は、その旨を示す表示と、タイムスタンプを付加するか否かをユーザに指示させるためのコントロールとを有する確認画面を、前記表示部に表示する
ことを特徴とする請求項２に記載の画像処理装置。
【請求項４】
前記確認画面においてタイムスタンプを付加するとユーザにより指示された場合、前記付加手段は前記画像データにタイムスタンプ情報を付加する
ことを特徴とする請求項２または３のいずれかに記載の画像処理装置。
【請求項５】
前記表示手段は、更に、前記画像データを管理するための管理番号を入力するための入力画面を表示部に表示し、
前記保存手段は、前記入力画面を介して入力された管理番号を当該画像データと対応づけて、指定された保存先へ保存する
ことを特徴とする請求項２に記載の画像処理装置。
【請求項６】
前記確認画面においてタイムスタンプを付加しないとユーザにより指示された場合、前記保存手段は、タイムスタンプが付加されていない画像データを前記保存先へ保存する
ことを特徴とする請求項２または３のいずれかに記載の画像処理装置。
【請求項７】
前記保存手段は、更に、前記第１日付情報と前記タイムスタンプ情報を比較計算することによって得た情報を、前記画像データの検索用情報として前記保存先へ保存するように制御する
ことを特徴とする請求項１乃至６のいずれか１項に記載の画像処理装置。
【請求項８】
画像読取部で読み取った画像データを管理する画像処理装置であって、
前記画像読取部で読み取った画像データに対してＯＣＲ処理を施して、そのＯＣＲ処理結果に基づいて、前記画像データ中の日付情報を取得する第１取得手段と、
タイムスタンプ情報を取得する第２取得手段と、
前記第１及び第２取得手段それぞれで取得した、前記日付情報と前記タイムスタンプ情報を比較する比較手段と、
前記比較手段による比較の結果、両者の差が一定期間内である場合には、前記画像データにタイムスタンプ情報を付加する付加手段と、
前記画像データを指定された保存先へ保存する保存手段と
を備えることを特徴とする画像処理装置。
【請求項９】
前記比較手段による比較の結果、両者の差が一定期間内でない場合には、タイムスタンプを付加するか否かをユーザに指示させるための確認画面を表示部に表示する表示手段を更に備える
ことを特徴とする請求項８に記載の画像処理装置。
【請求項１０】
前記比較手段による比較の結果、両者の差が一定期間内でない場合には、前記表示手段は、その旨を示す表示と、タイムスタンプを付加するか否かをユーザに指示させるためのコントロールを有する確認画面を前記表示部に表示する
ことを特徴とする請求項９に記載の画像処理装置。
【請求項１１】
前記第１取得手段で日付情報を取得できなかった場合、前記表示手段は、日付情報をユーザに入力させるためのコントロールを有する入力画面を前記表示部に表示する
ことを特徴とする請求項９に記載の画像処理装置。
【請求項１２】
前記比較手段による比較の結果、前記日付情報が前記タイムスタンプ情報より新しい日付情報である場合には、前記表示手段は、前記日付情報が不正である旨を示す確認画面を前記表示部に表示する
ことを特徴とする請求項９に記載の画像処理装置。
【請求項１３】
前記比較手段による比較の結果に基づいて、前記日付情報が不正であると判断した場合、当該画像データの保存を禁止するフラグを設定する第２設定手段を更に備える
ことを特徴とする請求項８に記載の画像処理装置。
【請求項１４】
前記保存手段は、更に、前記日付情報と前記タイムスタンプ情報を比較計算することによって得た情報を、前記画像データの検索用情報として前記保存先へ保存するように制御する
ことを特徴とする請求項８乃至１３のいずれか１項に記載の画像処理装置。
【請求項１５】
画像読取部で読み取った画像データを管理する画像処理装置の制御方法であって、
第１取得手段が、前記画像読取部で読み取った画像データに対してＯＣＲ処理を施して、そのＯＣＲ処理結果に基づいて、前記画像データ中の第１日付情報を取得する第１取得工程と、
第２取得手段が、現在の第２日付情報を取得する第２取得工程と、
比較手段が、前記第１及び第２取得工程それぞれで取得した、前記第１日付情報と前記第２日付情報を比較する比較工程と、
付加手段が、前記比較工程による比較の結果、両者の差が一定期間内である場合には、前記画像データにタイムスタンプ情報を付加する付加工程と、
保存手段が、前記画像データを、指定された保存先へ保存する保存工程と
を備えることを特徴とする画像処理装置の制御方法。
【請求項１６】
画像読取部で読み取った画像データを管理する画像処理装置の制御方法であって、
第１取得手段が、前記画像読取部で読み取った画像データに対してＯＣＲ処理を施して、そのＯＣＲ処理結果に基づいて、前記画像データ中の日付情報を取得する第１取得工程と、
第２取得手段が、タイムスタンプ情報を取得する第２取得工程と、
比較手段が、前記第１及び第２取得工程それぞれで取得した、前記日付情報と前記タイムスタンプ情報を比較する比較工程と、
付加手段が、前記比較工程による比較の結果、両者の差が一定期間内である場合には、前記画像データにタイムスタンプ情報を付加する付加工程と、
保存手段が、前記画像データを指定された保存先へ保存する保存工程と
を備えることを特徴とする画像処理装置の制御方法。
【請求項１７】
コンピュータを、
画像読取部で読み取った画像データに対してＯＣＲ処理を施して、そのＯＣＲ処理結果に基づいて、前記画像データ中の第１日付情報を取得する第１取得手段、
現在の第２日付情報を取得する第２取得手段、
前記第１及び第２取得手段それぞれで取得した、前記第１日付情報と前記第２日付情報を比較する比較手段、
前記比較手段による比較の結果、両者の差が一定期間内である場合には、前記画像データにタイムスタンプ情報を付加する付加手段、
前記画像データを、指定された保存先へ保存する保存手段、
として機能させるためのコンピュータプログラム。
【請求項１８】
コンピュータを、
画像読取部で読み取った画像データに対してＯＣＲ処理を施して、そのＯＣＲ処理結果に基づいて、前記画像データ中の日付情報を取得する第１取得手段、
タイムスタンプ情報を取得する第２取得手段、
前記第１及び第２取得手段それぞれで取得した、前記日付情報と前記タイムスタンプ情報を比較する比較手段、
前記比較手段による比較の結果、両者の差が一定期間内である場合には、前記画像データにタイムスタンプ情報を付加する付加手段、
前記画像データを指定された保存先へ保存する保存手段、
として機能させるためのコンピュータプログラム。
【手続補正２】
【補正対象書類名】明細書
【補正対象項目名】００１３
【補正方法】変更
【補正の内容】
【００１３】
また、好ましくは、前記比較手段による比較の結果、両者の差が一定期間内でない場合には、タイムスタンプを付加するか否かをユーザに指示させるための確認画面を前記表示部に表示する表示手段を更に備える。
【手続補正３】
【補正対象書類名】明細書
【補正対象項目名】００１４
【補正方法】変更
【補正の内容】
【００１４】
また、好ましくは、前記第１取得手段で日付情報を取得できなかった場合、前記表示手段は、その旨を示す表示と、タイムスタンプを付加するか否かをユーザに指示させるためのコントロールとを有する確認画面を、前記表示部に表示する。
【手続補正４】
【補正対象書類名】明細書
【補正対象項目名】００１９
【補正方法】変更
【補正の内容】
【００１９】
上記の目的を達成するための本発明による画像処理装置は以下の構成を備える。即ち、
画像読取部で読み取った画像データを管理する画像処理装置であって、
前記画像読取部で読み取った画像データに対してＯＣＲ処理を施して、そのＯＣＲ処理結果に基づいて、前記画像データ中の日付情報を取得する第１取得手段と、
タイムスタンプ情報を取得する第２取得手段と、
前記第１及び第２取得手段それぞれで取得した、前記日付情報と前記タイムスタンプ情報を比較する比較手段と、
前記比較手段による比較の結果、両者の差が一定期間内である場合には、前記画像データにタイムスタンプ情報を付加する付加手段と、
前記画像データを指定された保存先へ保存する保存手段と
を備える。
【手続補正５】
【補正対象書類名】明細書
【補正対象項目名】００２０
【補正方法】変更
【補正の内容】
【００２０】
また、好ましくは、前記比較手段による比較の結果、両者の差が一定期間内でない場合には、タイムスタンプを付加するか否かをユーザに指示させるための確認画面を表示部に表示する表示手段を更に備える。
【手続補正６】
【補正対象書類名】明細書
【補正対象項目名】００２１
【補正方法】変更
【補正の内容】
【００２１】
また、好ましくは、前記比較手段による比較の結果、両者の差が一定期間内でない場合には、前記表示手段は、その旨を示す表示と、タイムスタンプを付加するか否かをユーザに指示させるためのコントロールを有する確認画面を前記表示部に表示する。
【手続補正７】
【補正対象書類名】明細書
【補正対象項目名】００２２
【補正方法】変更
【補正の内容】
【００２２】
また、好ましくは、前記第１取得手段で日付情報を取得できなかった場合、前記表示手段は、日付情報をユーザに入力させるためのコントロールを有する入力画面を前記表示部に表示する。
【手続補正８】
【補正対象書類名】明細書
【補正対象項目名】００２３
【補正方法】変更
【補正の内容】
【００２３】
前記比較手段による比較の結果、前記日付情報が前記タイムスタンプ情報より新しい日付情報である場合には、前記表示手段は、前記日付情報が不正である旨を示す確認画面を前記表示部に表示する。
【手続補正９】
【補正対象書類名】明細書
【補正対象項目名】００２６
【補正方法】変更
【補正の内容】
【００２６】
上記の目的を達成するための本発明による画像処理装置の制御方法は以下の構成を備える。即ち、
画像読取部で読み取った画像データを管理する画像処理装置の制御方法であって、
第１取得手段が、前記画像読取部で読み取った画像データに対してＯＣＲ処理を施して、そのＯＣＲ処理結果に基づいて、前記画像データ中の第１日付情報を取得する第１取得工程と、
第２取得手段が、現在の第２日付情報を取得する第２取得工程と、
比較手段が、前記第１及び第２取得工程それぞれで取得した、前記第１日付情報と前記第２日付情報を比較する比較工程と、
付加手段が、前記比較工程による比較の結果、両者の差が一定期間内である場合には、前記画像データにタイムスタンプ情報を付加する付加工程と、
保存手段が、前記画像データを、指定された保存先へ保存する保存工程と
を備える。
【手続補正１０】
【補正対象書類名】明細書
【補正対象項目名】００２７
【補正方法】変更
【補正の内容】
【００２７】
上記の目的を達成するための本発明による画像処理装置の制御方法は以下の構成を備える。即ち、
画像読取部で読み取った画像データを管理する画像処理装置の制御方法であって、
第１取得手段が、前記画像読取部で読み取った画像データに対してＯＣＲ処理を施して、そのＯＣＲ処理結果に基づいて、前記画像データ中の日付情報を取得する第１取得工程と、
第２取得手段が、タイムスタンプ情報を取得する第２取得工程と、
比較手段が、前記第１及び第２取得工程それぞれで取得した、前記日付情報と前記タイムスタンプ情報を比較する比較工程と、
付加手段が、前記比較工程による比較の結果、両者の差が一定期間内である場合には、前記画像データにタイムスタンプ情報を付加する付加工程と、
保存手段が、前記画像データを指定された保存先へ保存する保存工程と
を備える。
【手続補正１１】
【補正対象書類名】明細書
【補正対象項目名】００２８
【補正方法】変更
【補正の内容】
【００２８】
上記の目的を達成するための本発明によるコンピュータプログラムは以下の構成を備える。即ち、
コンピュータを、
画像読取部で読み取った画像データに対してＯＣＲ処理を施して、そのＯＣＲ処理結果に基づいて、前記画像データ中の第１日付情報を取得する第１取得手段、
現在の第２日付情報を取得する第２取得手段、
前記第１及び第２取得手段それぞれで取得した、前記第１日付情報と前記第２日付情報を比較する比較手段、
前記比較手段による比較の結果、両者の差が一定期間内である場合には、前記画像データにタイムスタンプ情報を付加する付加手段、
前記画像データを、指定された保存先へ保存する保存手段、
として機能させる。
【手続補正１２】
【補正対象書類名】明細書
【補正対象項目名】００２９
【補正方法】変更
【補正の内容】
【００２９】
上記の目的を達成するための本発明によるコンピュータプログラムは以下の構成を備える。即ち、
コンピュータを、
画像読取部で読み取った画像データに対してＯＣＲ処理を施して、そのＯＣＲ処理結果に基づいて、前記画像データ中の日付情報を取得する第１取得手段、
タイムスタンプ情報を取得する第２取得手段、
前記第１及び第２取得手段それぞれで取得した、前記日付情報と前記タイムスタンプ情報を比較する比較手段、
前記比較手段による比較の結果、両者の差が一定期間内である場合には、前記画像データにタイムスタンプ情報を付加する付加手段、
前記画像データを指定された保存先へ保存する保存手段、
として機能させる。